(57)【要約】【課題】点検運転を促すことができるポンプ装置、制御盤及び制御基板を提供すること。【解決手段】ポンプ装置１は、ポンプユニット１２と、点検運転を要するまでのポンプユニット１２の停止時間である閾値を記憶する記憶部４３と、ポンプユニット１２を駆動するとともに、前回の点検運転の終了後のポンプユニット１２の停止時間の積算値をカウントし、積算値が閾値を超えた場合に警告を行う制御部４１と、を備える。【選択図】      図１
2020133471.tif 000002
【特許請求の範囲】
【請求項１】
ポンプユニットと、
前記ポンプユニットの特定の運転を要するまでの時間である閾値を記憶する記憶部と、
前記ポンプユニットを駆動するとともに、前回の前記特定の運転の終了後の経過時間又は前記ポンプユニットの停止時間の積算値をカウントし、前記経過時間又は前記積算値が前記閾値を超えた場合に警告を行う制御部と、
を備えるポンプ装置。
【請求項２】
前記特定の運転とは、点検運転であり、
前記制御部は、前記点検運転後に前記警告を解除するとともに、前記積算値をリセットする、請求項１に記載のポンプ装置。
【請求項３】
前記ポンプユニットの二次側に設けられた排水を行う排水管に設けられ、前記排水管を常時閉じる自動開閉弁を備え、
前記制御部は、前記点検運転を行うときに、前記自動開閉弁を開く、請求項２に記載のポンプ装置。
【請求項４】
前記特定の運転は、手動で行う点検運転であり、
前記閾値は、前記点検運転を要するまでの経過時間である第１閾値であり、
前記制御部は、前記点検運転の終了後の前記経過時間と前記第１閾値と比較する、請求項１に記載のポンプ装置。
【請求項５】
前記特定の運転は、手動又は自動で行う点検運転を含み、
前記閾値は、前記点検運転を行うまでの前記ポンプユニットの停止時間である第２閾値あり、
前記制御部は、前記点検運転の終了後の前記ポンプユニットの停止時間の積算値と前記第２閾値とを比較する、請求項１に記載のポンプ装置。
【請求項６】
前記第１閾値は、ユーザによる変更が不可に設定される請求項４に記載のポンプ装置。
【請求項７】
表示部をさらに備え、
前記制御部は、前記経過時間が前記第１閾値を超えた場合に前記経過時間が前記第１閾値を超えた情報を前記表示部に表示する、請求項６に記載のポンプ装置。
【請求項８】
外部端末に情報を送信可能な通信部を備え、
前記制御部は、前記経過時間が前記第１閾値を超えた場合に前記経過時間が前記第１閾値を超えた情報を前記通信部により前記ユーザ又は管理者が有する前記外部端末へ送信する、請求項６又は請求項７に記載のポンプ装置。
【請求項９】
前記制御部は、前記特定の運転の情報及び結果を、前記通信部を介して前記ユーザ又は前記管理者が有する前記外部端末へ送信する、請求項８に記載のポンプ装置。
【請求項１０】
外部端末に情報を送信可能な通信部を備え、
前記制御部は、前記経過時間又は前記積算値が前記閾値を超えた場合に、前記経過時間又は前記積算値が前記閾値を超えた情報を前記通信部によりユーザ又は管理者が有する外部端末へ送信する、請求項１に記載のポンプ装置。
【請求項１１】
前記ポンプユニットの停止時間の積算値は、前記制御部への通電時間の積算値か、又は、前記通電時間の積算値から前記ポンプユニットのモータへの通電時間の積算値を減算した値である、請求項１に記載のポンプ装置。
【請求項１２】
前記経過時間は、前記制御部への通電時間の積算値である、請求項１に記載のポンプ装置。
【請求項１３】
情報を送信する前記外部端末の送信先情報は、前記記憶部に記憶されており、
前記送信先情報の少なくとも一部は、前記ユーザによる書き換えが不可に設定される、請求項８乃至請求項１０のいずれか一項に記載のポンプ装置。
【請求項１４】
前記ポンプユニットの運転の状況を検出する検出器をさらに備え、
前記閾値は、前記ポンプユニットの正常な運転時における運転の状況である第３閾値を含み、
前記制御部は、前記点検運転中に検出された検出値を第３閾値と比較し、前記ポンプユニットが正常でない場合に、前記ポンプユニットを停止させる、請求項４又は請求項５に記載のポンプ装置。
【請求項１５】
前記閾値は、第３閾値よりも前記ポンプユニットの運転状況が正常である値に近い第４閾値を含み、
前記制御部は、前記点検運転中に検出された検出値が第４閾値を満たした場合には点検運転を継続し、第３閾値を満たした場合には前記ポンプユニットを停止させる、請求項１４に記載のポンプ装置。
【請求項１６】
前記点検運転は、設定した時刻に自動で点検を行う、請求項５に記載のポンプ装置。
【請求項１７】
ポンプユニットの特定の運転を要するまでの時間である閾値を記憶する記憶部と、
前記ポンプユニットを駆動するとともに、前回の前記特定の運転の終了後の経過時間又は前記ポンプユニットの停止時間の積算値をカウントし、前記経過時間又は前記積算値が前記閾値を超えた場合に警告を行う制御部と、
を備える制御盤。
【請求項１８】
ポンプユニットの特定の運転を要するまでの時間である閾値を記憶する記憶部と、
前記ポンプユニットを駆動するとともに、前回の前記特定の運転の終了後の経過時間又は前記ポンプユニットの停止時間の積算値をカウントし、前記経過時間又は前記積算値が前記閾値を超えた場合に警告を行う制御部と、
前記記憶部及び前記制御部を実装する基板と、
を備える制御基板。
【発明の詳細な説明】
【技術分野】
【０００１】
本発明は、建造物に用いられるポンプ装置、制御盤及び制御基板に関する。
【背景技術】
【０００２】
従前から、建造物に給水するポンプ装置が知られている。このようなポンプ装置として、例えば、火災時にスプリンクラー等へ水を供給する消火ポンプ装置（例えば、特許文献１参照）、蛇口やシャワーヘッド等へ水を供給する給水ポンプ装置、暖房用等の空調ポンプ装置及び消雪用の自吸ポンプ装置等が知られている。
【０００３】
このようなポンプ装置は、停止時間が長いと、ポンプの金属材料により形成された部品に錆が生じる虞や、水中に含まれるカルシウム、マグネシウム及びシリカ等の無機塩類化合物が析出したスケールがポンプ内に生じる虞がある。これら錆やスケールがポンプ内に生じると、インペラや回転軸等の回転体がケーシング等の固定体に固着し、回転が阻害される虞がある。この状態でポンプ装置を駆動すると、モータに過電流が生じる虞がある。
【０００４】
このため、回転体が固着することを防止し、ポンプ装置の機能及び故障検出等のために、定期的な点検運転が求められる。
【先行技術文献】
【特許文献】
【０００５】
【特許文献１】特許第６４４２３３８号公報
【発明の概要】
【発明が解決しようとする課題】
【０００６】
しかしながら、上述したポンプ装置の定期的な点検運転の実施は、ユーザに一任されているところ、定期的な点検運転が実施されない虞がある。また、メーカや消防署等の管理者が点検運転を行った履歴情報を把握することも困難であることから、ユーザに点検運転を実施することを促すことができない、という問題がある。例えば、ポンプ装置が消火ポンプ装置である場合には、火災時に正常に運転できることが求められることから、点検運転は重要なものとなる。このため、例えば、ポンプ装置を強制的に定期的に駆動することで維持運転を行うことも考えられるが、建造物の構造等によっては、騒音及び振動を嫌う場合があり、強制的、且つ、定期的にポンプ装置を駆動することが困難な場合もある。
【０００７】
また、点検運転に限らず、ポンプ装置の特定の運転を手動で行う場合においても、同様の問題が生じる。
【０００８】
そこで本発明は、特定の運転を促すことができるポンプ装置、制御盤及び制御基板を提供することを目的としている。
【課題を解決するための手段】
【０００９】
本発明の一態様によれば、ポンプ装置は、ポンプユニットと、点検運転を要するまでの前記ポンプユニットの停止時間である閾値を記憶する記憶部と、前記ポンプユニットを駆動するとともに、前回の前記点検運転の終了後の前記ポンプユニットの停止時間の積算値をカウントし、前記積算値が前記閾値を超えた場合に警告を行う制御部と、を備える。
【００１０】
本発明の一態様によれば、制御盤は、点検運転を要するまでのポンプユニットの停止時間である閾値を記憶する記憶部と、前記ポンプユニットを駆動するとともに、前回の前記点検運転の終了後の前記ポンプユニットの停止時間の積算値をカウントし、前記積算値が前記閾値を超えた場合に警告を行う制御部と、を備える。
【００１１】
本発明の一態様によれば、制御基板は、ポンプユニットの特定の運転を要するまでの時間である閾値を記憶する記憶部と、前記ポンプユニットを駆動するとともに、前回の前記特定の運転の終了後の経過時間又は前記ポンプユニットの停止時間の積算値をカウントし、前記経過時間又は前記積算値が前記閾値を超えた場合に警告を行う制御部と、前記記憶部及び前記制御部を実装する基板と、を備える。
【発明の効果】
【００１２】
本発明によれば、点検運転を促すことができるポンプ装置、制御盤及び制御基板を提供することができる。
【図面の簡単な説明】
【００１３】
【図１】本発明の一実施形態に係る給水設備の構成を示す説明図。
【図２】同給水設備に用いられるポンプ装置の構成を示す側面図。
【図３】同ポンプ装置に用いられる制御盤の構成を示す正面図。
【図４】同制御盤の内部構成を示す正面図。
【図５】本発明の変形例に係る給水設備に用いられるポンプ装置の構成を示す側面図。
【発明を実施するための形態】
【００１４】
以下、本発明の一実施形態に係るポンプ装置１の構成を、図１乃至図４を用いて説明する。なお、本実施形態においては、ポンプ装置１は、給水設備として消火設備１００に用いられる消火ポンプ装置の例を用いて説明する。
【００１５】
図１は、本発明の一実施形態に係る消火設備１００の構成を示す説明図、図２は、ポンプ装置１の構成を示す側面図、図３及び図４は、ポンプ装置１に用いられる制御盤１８の外観及び内部の構成それぞれ示す正面図である。
【００１６】
図１に示すように、ポンプ装置１は、建造物に設けられた消火設備１００に用いられる。まず、消火設備１００の構成について説明する。図１に示すように、消火設備１００は、ポンプ装置１と、補助加圧装置１０１と、放水手段２０１と、火災判断機器３０１と、給水源４０１と、を備えている。
【００１７】
補助加圧装置１０１は、放水手段２０１へ接続される配管５０１内の圧力が低下したときに、ポンプ装置１が始動する前に補助加圧装置１０１が自動運転し、配管５０１内の圧力を回復させるポンプ装置である。
【００１８】
補助加圧装置１０１は、例えば、補助ポンプユニット１１１と、補助ポンプユニット１１１の二次側に設けられた圧力タンク１１２と、圧力タンク１１２に接続された圧力検出器１１３と、呼水槽１１４と、制御盤１１５と、を備えている。
【００１９】
補助ポンプユニット１１１は、補助モータ１２１と、補助モータ１２１により駆動される補助ポンプ１２２と、補助ポンプ１２２に接続される連結管１２３と、を備えている。補助モータ１２１は、制御盤１１５に電気的に接続される。補助ポンプ１２２は、一次側が呼水槽１１４に接続され、二次側が連結管１２３に接続される。連結管１２３は、配管５０１に接続される。より具体的には、連結管１２３は、配管５０１であって、且つ、後述する流水検知器３１４の一次側に接続される。
【００２０】
圧力タンク１１２は、連結管１２３に設けられる。
【００２１】
圧力検出器１１３は、圧力タンク１１２内の圧力を検出する。圧力検出器１１３は、電気的に制御盤１１５に接続される。圧力検出器１１３は、検出した圧力値の信号を制御盤１１５に送信する。
【００２２】
呼水槽１１４は、補助ポンプユニット１１１の水源である。
【００２３】
制御盤１１５は、例えば、記憶部１３１及び制御部１３２を備える。記憶部１３１は、例えば、補助ポンプユニット１１１を起動する補助起動圧力、及び、補助ポンプユニット１１１を停止する補助停止圧力が記憶されている。補助起動圧力は、ポンプ装置１のポンプユニット１２の起動圧力よりも高く設定される。また、補助停止圧力は、ポンプ装置１の締切り圧力よりも低く設定される。
【００２４】
制御部１３２は、圧力検出器１１３で検出した圧力が記憶部１３１に記憶された起動圧力以下と判断すると、補助ポンプユニット１１１を起動する。また、制御部１３２は、補助ポンプユニット１１１の運転中に圧力検出器１１３で検出した圧力が記憶部１３１に記憶された停止圧力以上と判断すると、補助ポンプユニット１１１を停止する。
【００２５】
放水手段２０１は、例えば、建造物のフロア毎に設けられた複数の放水器や、他の放水装置に接続される配管等である。放水手段２０１は、火災時に開放されることで消火のために放水を行う。具体例として、放水手段２０１は、例えば複数のスプリンクラー２１１と、消火栓２１２と、連結送水管２１３と、を含む。
【００２６】
スプリンクラー２１１は、配管５０１から分岐して接続され、各フロアに配設された配設管２１１ａと、配設管２１１ａに設けられたフロア毎に複数設けられたスプリンクラヘッド２１１ｂと、を備える。また、スプリンクラー２１１は、配設管２１１ａ及びスプリンクラヘッド２１１ｂの間に水量（流量）及び圧力の検出が可能な検出器を備えていてもよい。
【００２７】
スプリンクラヘッド２１１ｂは、例えば、火災時の熱により開口し放水することで、建造物のフロアに放水可能な放水口を有している。また、スプリンクラヘッド２１１ｂは、例えば、同一フロアに設けられたスプリンクラヘッド２１１ｂのいずれかが開となり放水した場合に、同一フロア内に設けられた他のスプリンクラヘッド２１１ｂも開となり連動して放水可能に形成されている。
【００２８】
消火栓２１２は、建造物の屋内及び屋外の少なくとも一方に設けられる。消火栓２１２は、例えば、屋内消火栓である。消火栓２１２は、例えば、消火栓箱２１２ａと、消火栓箱２１２ａに収容され、配管５０１に接続されるホース２１２ｂと、ホース２１２ｂに設けられたノズル２１２ｃと、ノズル２１２ｃに設けられた開閉弁と、を備えている。また、ホース２１２ｂと配管５０１との間には、開閉弁が設けられた放水口が設けられ、この放水口にホース２１２ｂが接続されることで、配管５０１にホース２１２ｂが流体的に接続される。
【００２９】
連結送水管２１３は、例えば、建造物の屋内又は屋外に設けられる。連結送水管２１３は、いわゆる消防隊専用栓である。連結送水管２１３は、例えば、屋内に設けられる湿式の差込式放水口である。
【００３０】
火災判断機器３０１は、ポンプ装置１を起動する起動装置である。例えば、火災判断機器３０１は、火災報知器３１１と、消火栓用手動起動装置３１２と、遠隔起動装置３１３と、流水検知器３１４と、消火栓用連動装置３１５と、圧力検出器３３と、を含む。火災判断機器３０１は、例えば、信号線９９を介してポンプ装置１の後述する制御盤１８に電気的に接続される。
【００３１】
火災報知器３１１は、例えば、煙や熱を感知し、制御盤１８にポンプユニット１２の起動信号を発報する。
【００３２】
消火栓用手動起動装置３１２は、例えば、消火栓２１２の消火栓箱２１２ａに設けられる。消火栓用手動起動装置３１２は、手動により操作されることで、制御盤１８にポンプユニット１２の起動信号を発報する。
【００３３】
遠隔起動装置３１３は、例えば、防災センター等からの遠隔操作されることで、制御盤１８に、ポンプユニット１２の起動信号を発報する。
【００３４】
流水検知器３１４は、配管５０１内に所定の流量又は流速の水が流れた場合に、内部に設けられたスイッチが作動し、制御盤１８にポンプユニット１２の起動信号を発報する。
【００３５】
消火栓用連動装置３１５は、例えば、消火栓２１２の消火栓箱２１２ａに設けられる。消火栓用連動装置３１５は、例えば、ホース２１２ｂを手動で延ばした場合に、制御盤１８にポンプユニット１２の起動信号を発報する。
【００３６】
給水源４０１は、消火用の水槽である。給水源４０１は、ポンプ装置１の一次側に設けられる。
【００３７】
配管５０１は、ポンプ装置１の二次側に設けられ、スプリンクラー２１１、消火栓２１２及び連結送水管２１３に接続される。配管５０１には、流水検知器３１４が設けられる。配管５０１は、末端又は中途部においてスプリンクラー２１１、消火栓２１２及び連結送水管２１３により閉鎖される。
【００３８】
図１及び図２に示すように、ポンプ装置１は、ベース１１と、ポンプユニット１２と、吐出管１３と、圧力タンク１４と、自動開閉弁１５と、温度検出器１６と、呼水槽１７と、制御盤１８と、を備えている。
【００３９】
ベース１１は、建造物のポンプ装置１の設置面に固定される。ベース１１は、その上面にポンプユニット１２、圧力タンク１４、呼水槽１７及び制御盤１８を固定する。
【００４０】
ポンプユニット１２は、ポンプ２１及びモータ２２を備えている。ポンプ２１は、吸込口２１ａ及び吐出口２１ｂを備えている。ポンプ２１は、その内部に回転軸に固定されたインペラを収容する。ポンプ２１は、増圧した水を二次側に吐出する。
【００４１】
モータ２２は、回転軸を回転可能に形成されている。モータ２２は、回転軸を回転することで、ポンプ２１のインペラを駆動する。モータ２２は、信号線９９を介して電気的に制御盤１８に接続される。
【００４２】
吐出管１３は、一端がポンプ２１の吐出口２１ｂに接続されるとともに、他端が配管５０１に接続される。吐出管１３は、逆止弁１３ａ及び圧力検出器１３ｂを有する。圧力検出器１３ｂは、信号線９９を介して制御盤１８に接続されている。圧力検出器１３ｂは、吐出管１３内の圧力を検出し、制御盤１８に送信可能に形成されている。
【００４３】
圧力タンク１４は、タンク３１と、圧力計３２と、圧力検出器３３と、を備えている。タンク３１は、ポンプ２１から吐出された所定の圧力の水を貯留可能に形成されている。タンク３１は、例えば、吐出管１３に設けられる。圧力計３２は、タンク３１内の圧力を検出し、外部に表示可能に形成されている。圧力検出器３３は、信号線９９を介して制御盤１８に接続されている。圧力検出器３３は、タンク３１内の圧力を制御盤１８に送信可能に形成されている。
【００４４】
自動開閉弁１５は、例えば、ポンプユニット１２の二次側であって、且つ、流水検知器３１４の一次側に設けられ、ポンプユニット１２の二次側、且つ、流水検知器３１４の一次側に接続された分岐管１５ａを開閉する。具体例として、分岐管１５ａは、ポンプユニット１２の二次側であって、且つ、吐出管１３の逆止弁１３ａの一次側に接続される。ここで、分岐管１５ａは、例えば、排水口１５ｂ等に接続された排水管である。換言すると、自動開閉弁１５は、ポンプユニット１２の二次側の分岐管１５ａに設けられ、分岐管１５ａを開くことで、ポンプユニット１２の二次側の水を排水口１５ｂに排水する。
【００４５】
自動開閉弁１５は、信号線９９によって制御盤１８に電気的に接続される。自動開閉弁１５は、常時閉であり、制御盤１８からの信号によって開き、ポンプユニット１２の二次側及び配管５０１に存する水を排水口１５ｂに排水する。
【００４６】
温度検出器１６は、例えば、吐出管１３又は配管５０１に設けられる。温度検出器１６は、ポンプユニット１２の二次側のいずれかの配管１３、５０１内の水の温度、又は、いずれかの配管１３、５０１の表面温度を検出する。温度検出器１６は、信号線９９を介して制御盤１８に電気的に接続される。温度検出器１６は、検出した温度情報を制御盤１８に送信する。
【００４７】
呼水槽１７は、ポンプ２１に呼び水を供給可能に、配管１７ａを介してポンプ２１に接続される。また、呼水槽１７は、ポンプ２１の温度上昇を抑えるために、オリフィスが設けられ、ポンプ２１で増圧された水の一部を絞り、呼水槽１７に逃がす逃がし管１７ｂを有する。
【００４８】
制御盤１８は、内部に制御部４１を備えている。また、制御盤１８は、入力装置４２と、記憶部４３と、報知部４４と、通信部４５と、端子部４８を備えている。制御盤１８は、また、例えば、制御基板４６と、筐体４７と、を備えている。
【００４９】
制御基板４６は、例えば、一枚の基板４６ａに、制御部４１、記憶部４３、通信部４５及び端子部４８が実装されることで構成される。筐体４７は、内部に制御基板４６を収容するとともに、外面の一部に入力装置４２及び報知部４４を配置する。また、筐体４７は、内部に電源トランス、電流測定用変流器、電磁接触器、配線用遮断器等の機器３８を収容する。
【００５０】
制御部４１は、信号線９９を介してモータ２２及び圧力検出器３３に接続される。制御部４１は、入力装置４２、記憶部４３、報知部４４及び通信部４５と、バスライン等の信号線９９を介して電気的に接続される。
【００５１】
制御部４１は、モータ２２を駆動可能に形成されている。制御部４１は、火災と判断したときに、モータ２２を駆動可能に形成されている。具体例として、制御部４１は、火災判断機器３０１から発報されたポンプユニット１２の起動信号を受信すると、記憶部４３に記憶されたプログラムに準じてモータ２２を駆動する。
【００５２】
制御部４１は、日付を管理可能なカレンダー機能及び時刻を管理可能な時計機能を有している。制御部４１は、ポンプユニット１２の駆動後に経過した経過時間をカウントするカウンタ機能を有している。制御部４１は、ポンプユニット１２の特定の運転を行い、この特定の運転におけるポンプユニット１２の駆動停止後にカウンタ機能でカウントしたポンプユニット１２の駆動停止後に経過した経過時間を記憶部４３に記憶する機能を有している。ここで、ポンプユニットの１２の特定の運転を行った後に経過した経過時間とは、例えば、前回特定の運転を行った後、具体例としてポンプユニット１２の点検運転を行ったあとに、経過した時間、又は、ポンプユニット１２が停止している時間である。
【００５３】
ここで、ポンプユニット１２が停止している時間（停止時間）とは、停止している可能性のある最大の停止時間と推定できる制御盤１８の制御部４１に通電した通電時間の積算値や、ポンプユニット１２が実質的に停止している停止時間の積算値が例として挙げられる。また、ポンプユニット１２が実質的に停止している停止時間の積算値とは、例えば、制御部４１に通電した通電時間の積算値からポンプユニット１２のモータ２２への通電時間を減算した値である。
【００５４】
制御部４１は、ポンプユニット１２の異常発生時に、当該異常の情報を報知部４４に送信する機能を有している。制御部４１は、入力装置４２により入力された指示に基づいて、カウンタ機能でカウントした時間、過去のポンプユニット１２の駆動情報等の履歴情報を通信部４５に送信可能に形成されている。
【００５５】
入力装置４２は、日時及び指令等の情報を入力可能に形成されている。入力装置４２は、入力された情報を制御部４１に送信可能に形成されている。
【００５６】
記憶部４３には、特定の運転である点検運転を行うまでの所定の時間、及び、点検運転時におけるポンプユニット１２の評価を行う値が閾値として記憶されている。ここで、点検運転とは、ポンプユニット１２の駆動停止を伴う定期的なポンプユニット１２の点検である。ポンプユニットの点検運転は、例えば、複数設定される。よって、複数の点検運転を行うまでの所定の時間である閾値は、記憶部４３に複数記憶される。
【００５７】
具体例として、点検運転は、第１点検運転と、第２点検運転と、を含む。第１点検運転は、例えば、手動で行われる点検である。第１点検運転は、例えば、消火ポンプ装置に義務付けられた法定点検である。第１点検運転は、例えば、前回の第１点検運転から所定の時間経過したときに行うことが求められる。換言すると、一年に一回といったように、所定の期間毎に点検を行う回数が定められた法定点検である。または、第１点検運転は、例えば、前回の第１点検運転から、制御盤１８に通電された時間の積算値が所定の時間を経過したときに行うことが定められる。例えば、第１点検運転は、ユーザが入力装置４２を操作して第１点検運転の指令を入力する度行われる。例えば、第１点検運転は、ポンプユニット１２を所定の時間駆動し、締切り運転時の締切揚程、締切り運転時のモータ２２へ供給された電圧及び電流、定格負荷運転時の定格揚程、並びに、定格負荷運転時のモータ２２へ供給された電圧及び電流を検出する。また、第１点検運転時において、例えば、定格負荷運転時に自動開閉弁１５を開き、分岐管１５ａを介して水を排水する。なお、第１点検運転の締切り運転の開始前及び終了後においても、自動開閉弁１５を開き、水を排水してもよい。
【００５８】
第２点検運転は、手動又は自動で行われる点検であり、例えば、自主点検や維持運転である。第２点検運転は、例えば、前回の第２点検運転からのポンプユニット１２の停止時間、より具体例としては、前回の第２点検運転からのモータ２２へ通電していない時間の積算時間が所定の時間を経過する前に手動で行うか、又は、同積算時間が所定の時間を経過したときに自動で行うことが求められる。例えば、第２点検運転は、ユーザが入力装置４２を操作してポンプユニット１２を駆動するか、又は、制御部４１がポンプユニット１２を駆動することで行われる。例えば、第２点検運転は、締切り運転時の締切揚程、締切り運転時のモータ２２へ供給された電圧及び電流を検出する運転である。なお、第２点検運転の締切り運転の開始前及び終了後において、自動開閉弁１５を開き、水を排水してもよい。
【００５９】
また、複数の閾値は、第１閾値と、第２閾値と、第３閾値と、を含む。第１閾値は、前回の第１点検運転後から次の第１点検運転を行うまでのポンプユニット１２の時間として設定される。第２閾値は、前回の第２点検運転後から次回の第２点検運転を行うまでのポンプユニット１２の時間として設定される。
【００６０】
第３閾値は、各点検運転においてポンプユニット１２の運転の状況として検出される検出値の正常値として設定される。例えば、第３閾値は、例えば、ポンプユニット１２が正常時における締切り運転時の締切揚程、締切り運転時のモータ２２へ供給された電圧及び電流、定格負荷運転時の定格揚程、並びに、定格負荷運転時のモータ２２へ供給される電圧及び電流である。
【００６１】
また、記憶部４３は、例えば、複数の閾値のいずれかを書き換え不可として記憶する。例えば、記憶部４３は、第１閾値がポンプ装置１を製造したメーカで記憶された後、書き換えが不可に設定され、そして、第２閾値が入力装置４２で入力された値に書き換え可能に設定される。なお、記憶部４３の第１閾値及び第２閾値の書き換えに関する設定は、例えば、記憶部４３に記憶されたプログラム等を制御部４１が処理することで設定される。
【００６２】
記憶部４３は、制御部４１のカウンタ機能のカウンタメモリとして機能する。また、記憶部４３には、例えば、ポンプユニット１２を起動する起動圧力、締切り運転時の締切揚程、並びに、火災発生時及び各点検運転におけるポンプユニット１２の制御プログラム等が記憶されている。
【００６３】
さらに、記憶部４３には、ポンプユニット１２の識別番号、形式、位置情報等のポンプ装置１の情報、各点検運転の情報及び結果、並びに、点検運転の警告を送信する外部に設けられたパーソナルコンピュータやタブレット端末等の外部端末９０の情報等が記憶されている。
【００６４】
報知部４４は、ポンプユニット１２の異常発生時に、制御部４１から送信された情報に基づいて、当該異常を外部に報知可能に形成されている。報知部４４は、情報を表示する表示部である。報知部４４は、例えば、点灯又は点滅することで情報を表示するランプ、音により外部に情報を報知する音響及び情報を表示するディスプレイを含む。
【００６５】
通信部４５は、外部と情報を送受信可能に構成される。例えば、通信部４５は、制御部４１から送信された情報を無線又は有線により外部に出力する。例えば、通信部４５は、外部端末９０に情報を送信する。換言すると、制御部４１は、通信部４５を介して、インターネット、ＬＡＮ（Local Area Network）等のネットワークや無線又は有線ケーブル等によりに外部端末９０に情報を送信し、外部端末９０に当該情報を表示させる。なお、通信部４５を用いなくとも、端子部４８を介して有線により管理センター等へ通信を行うことができる。例えば、２つの異なる端子を無電圧ａ接点とし、接点がＯＮとなった場合に、過電流等の不具合が発生したことを通知できる。この場合、圧力不足や漏電等の他の事象を通知するためには、区別したい事象の数だけ端子を設ける必要がある。
【００６６】
なお、例えば、外部端末９０に情報を表示させる機能は、外部端末９０のプロセッサが処理することで達成される。外部端末９０は、例えば、点検運転に関する情報を表示する表示部である。また、ここで、外部端末９０は、例えば、ポンプ装置１から離れた場所にユーザが有する第１外部端末９１と、ユーザ以外の管理者、具体例としてポンプ装置１の製造メーカ、建造物を管理する管理センター、及び、消防署や防災センター等の外部機関等のポンプ装置１や消火設備１００を監督又は管理を行う管理者が有する第２外部端末９２と、を含む。
【００６７】
また、制御部４１は、以下の（１）乃至（３）の機能を有している。
【００６８】
（１）ポンプユニット１２の第１点検運転を行い、外部に第１点検運転の状況を送信する機能。
【００６９】
（２）ポンプユニット１２の第２点検運転を行い、外部に第２点検運転の状況を送信する機能。
【００７０】
（３）点検運転の警告を行う機能。
【００７１】
次に、制御部４１が有する（１）乃至（３）の機能について説明する。  
（１）の機能は、入力装置４２により第１点検運転を行う指令が入力されたときに、ポンプユニット１２を所定の時間第１点検運転するとともに、ポンプユニット１２の運転により検出された検出値と第３閾値に基づいて、ポンプユニット１２が正常か否かを判断し、機器損傷の虞がある値、例えば電流が正常ではない場合にはモータ２２への通電を停止する機能である。また、（１）の機能は、第１点検運転の情報、及び、第１点検運転の結果等の第１点検運転の状況を外部端末９０に送信する機能である。
【００７２】
（１）の機能の具体例を以下説明する。（１）の機能の具体例として、先ず、制御部４１は、入力装置４２により第１点検運転を行う指令が入力されたか否かを判断する。そして、入力装置４２により第１点検運転を行う指令が入力されたと判断した場合には、制御部４１は、記憶部４３に記憶されたポンプユニット１２の制御プログラムに基づいて締切り運転及び定格負荷運転によりポンプユニット１２を所定の時間運転する。
【００７３】
そして、制御部４１は、締切り運転時に圧力検出器１３ｂで検出された締切揚程（圧力）、締切り運転時のモータ２２へ供給された電圧及び電流、定格負荷運転時に圧力検出器１３ｂで検出された定格揚程、並びに、定格負荷運転時のモータ２２へ供給された電圧及び電流を検出する。そして、制御部４１は、第３閾値と検出された各検出値とを比較し、検出値が正常値であるか否かを判断し、機器損傷の虞がある値、例えば電流が正常ではない場合にはモータ２２への通電を停止する。
【００７４】
制御部４１は、第１点検運転の情報及び結果を記憶部４３に記憶する。第１点検運転の情報とは、例えば、カレンダー機能及び時計機能で検出した第１点検運転を行った日時、前回第１点検運転を行ったときから第１点検運転を行うまでにカウンタ機能でカウントした時間の積算値、及び、前回第１点検運転を行った日からの経過日数等である。また、第１点検運転の結果とは、第１点検運転中に検出された圧力、電圧及び電流等の各検出値、検出値が正常値であるか否かの判断結果等である。
【００７５】
制御部４１は、第１点検運転の情報及び第１点検運転の結果を、通信部４５により外部端末９０へ送信する。具体例として、制御部４１は、第１外部端末９１及び第２外部端末９２へ第１点検運転の情報及び第１点検運転の結果を送信する。
【００７６】
また、制御部４１は、第１点検運転を行うとき又は行った後に、前回第１点検運転を行ったときから第１点検運転を行うまでにカウンタ機能でカウントした前回の第１点検運転から経過した経過時間をリセットする。
【００７７】
（２）の機能は、入力装置４２により第２点検運転を行う指令が入力されるか、又は、カウンタ機能でカウントしたポンプユニット１２の停止時間の積算値が第２閾値を超えたときに、ポンプユニット１２を所定の時間第２点検運転するとともに、ポンプユニット１２の運転により検出された検出値と第３閾値に基づいて、ポンプユニット１２が正常か否かを判断し、機器損傷の虞がある値、例えば電流が正常ではない場合にはモータ２２への通電を停止する機能である。また、（２）の機能は、第２点検運転の情報、及び、第２点検運転の結果等の第１点検運転の状況を外部端末９０に送信する機能である。
【００７８】
（２）の機能の具体例を以下説明する。（２）の機能の具体例として、先ず、制御部４１は、入力装置４２により第２点検運転を行う指令が入力されたか否かの判断をする。入力装置４２により第２点検運転を行う指令が入力された場合には、制御部４１は、記憶部４３に記憶されたポンプユニット１２の制御プログラムに基づいて締切り運転によりポンプユニット１２を所定の時間運転する。
【００７９】
また、入力装置４２により第２点検運転を行う指令が入力されていないと判断した場合には、前回の第２点検運転後にカウンタ機能でカウントしたポンプユニット１２の停止時間の積算値が第２閾値を超えたか否かの判断をする。前回の第２点検運転後にカウンタ機能でカウントしたポンプユニット１２の停止時間の積算値が第２閾値を超えたと判断した場合には、制御部４１は、記憶部４３に記憶されたポンプユニット１２の制御プログラムに基づいて締切り運転によりポンプユニット１２を所定の時間運転する。
【００８０】
そして、制御部４１は、締切り運転時に圧力検出器１３ｂで検出された締切揚程（圧力）、並びに、締切り運転時のモータ２２へ供給された電圧及び電流を検出する。そして、制御部４１は、第３閾値と検出された各検出値とを比較し、検出値が正常値であるか否かを判断する。
【００８１】
制御部４１は、第２点検運転の情報及び結果を記憶部４３に記憶する。第２点検運転の情報とは、例えば、カレンダー機能及び時計機能で検出した第２点検運転を行った日時、前回第２点検運転を行ったときから第２点検運転を行うまでにカウンタ機能でカウントした停止時間の積算値、及び、前回第２点検運転を行った日からの経過日数等である。また、第２点検運転の結果とは、第２点検運転中に検出された圧力、電圧及び電流等の各検出値、検出値が正常値であるか否かの判断結果等である。
【００８２】
制御部４１は、第２点検運転の情報及び第２点検運転の結果を、通信部４５により外部端末９０へ送信する。具体例として、制御部４１は、第１外部端末９１へ第２点検運転の情報及び第２点検運転の結果を送信する。
【００８３】
また、制御部４１は、第２点検運転を行うとき又は行った後に、前回第２点検運転を行ったときから第２点検運転を行うまでにカウンタ機能でカウントした停止時間の積算値をリセットする。
【００８４】
（３）の機能は、点検運転に関する警告を行う機能であり、具体的には、点検運転を所定の時間行っていない場合に、点検運転を促す情報を外部に報知する機能である。
【００８５】
（３）の機能の具体例を以下説明する。（３）の機能として、先ず、制御部４１は、手動で行う点検運転、具体例として、少なくとも、ユーザが変更できない第１閾値が設定された第１点検運転の前回第１点検運転を行ったときにポンプユニット１２を停止してから、カウンタ機能でカウントした経過した経過時間、及び、当該積算値及び第１閾値から求められる第１点検運転を行うまでの残り時間の少なくとも一方、好ましくは双方を求める。そして、制御部４１は、当該経過時間及び第１点検運転を行うまでの残り時間の少なくとも一方、好ましくは双方の情報を報知部４４に表示する。
【００８６】
また、制御部４１は、前回第１点検運転を行ったときからカウンタ機能でカウントした経過時間が第１閾値を超えたか否かを判断する。前回第１点検運転を行ったときから、カウンタ機能でカウントした経過時間が第１閾値を超えた場合には、制御部４１は、第１点検運転が必要と判断する。制御部４１は、第１点検運転を行う旨の警告を報知部４４により表示することで、警告を行う。
【００８７】
加えて、制御部４１は、第１点検運転を行う旨の警告及び記憶部４３に記憶されたポンプ装置１の識別番号、形式、位置情報を、少なくとも第２外部端末９２へ、好ましくは、第１外部端末９１及び第２外部端末９２へ当該情報を送信する。即ち、制御部４１は、ユーザ及び管理者に、第１点検運転を行う必要がある旨の警告と、第１点検運転を行うポンプ装置１の情報を送信する。
【００８８】
なお、制御部４１が警告を行う警告先は、記憶部４３にあらかじめ記憶された、外部端末９０の情報に基づいて送信される。なお、制御部４１が警告を行う警告先は、一部がユーザによる書き換えが不可に設定される。本実施形態においては、警告先として少なくとも管理者の第２外部端末９２をユーザが書き換えることができないように設定される。
【００８９】
このように構成された消火設備１００に用いられるポンプ装置１によれば、手動で行われる第１点検機能を行った後、次回第１点検機能を行うまでの経過時間を積算する。そして、積算したポンプユニット１２の経過時間が第１閾値を超えた場合に、ユーザの第１外部端末９１及びメーカや管理機関等の管理者の第２外部端末９２へ積算した経過時間が第１閾値を超えた情報を送信する。これにより、ユーザ並びにメーカ及び管理機関等の管理者へ、所定の時間が経過しても第１点検運転が未実施であり、第１点検運転を要する状態であることが警告できる。即ち、ユーザ及び管理者が第１点検機能の実施の有無を把握できる。特に第１点検運転は、手動で行われる点検運転であることから、点検運転の実施を忘れる虞があるところ、ポンプ装置１の構成によれば、点検運転の実施を啓蒙すること、及び、管理者が点検運転の遵守を指示することができる。
【００９０】
また、第１点検運転が法定点検運転のような義務化された運転である場合には、実施をユーザに通知できること、及び、管理者がユーザの管理又は監視を行うことができることから、点検運転を促すことができる。特に、ポンプ装置１が消火ポンプ装置である場合には、長時間の停止によりポンプ装置１が錆やスケール等によって固着し、火災時にポンプ装置１が起動できなくなることを抑制できる。また、ポンプ装置１が起動不可の状態となることを抑制できることから、過電流がモータ２２に流れることを防止できる。
【００９１】
また、制御部４１は、第１点検運転及び第２点検運転の情報及び結果をユーザ及び管理者へ送信することから、ユーザ及び管理者が点検状況を把握できる。
【００９２】
また、制御部４１は、入力装置４２により第２点検運転を行う指令が入力されるか、又は、前回の第２点検運転後にカウンタ機能でカウントしたポンプユニット１２の停止時間の積算値が第２閾値を超えた場合には、第２点検運転を行う。特に、入力装置４２により第２点検運転を行う指令が入力されなくても、前回の第２点検運転後にカウンタ機能でカウントしたポンプユニット１２の停止時間の積算値が第２閾値を超えた場合に第２点検運転を行うことで、法定点検等の第１点検運転よりも短い期間でポンプ装置１を運転することになる。これにより、ポンプ２１内に錆やスケール等が付着することを極力抑制できることから、ポンプユニット１２の寿命を向上できるとともに、火災時にポンプ装置１が故障していることを極力抑制できる。
【００９３】
さらに、制御部４１は、第１点検運転及び第２点検運転等の点検運転が行われると、前回点検運転した後の経過時間又はポンプユニット１２の停止時間の積算値をリセットすることから、積算値のリセット忘れを防止できる。
【００９４】
上述したように、本発明の一実施形態に係るポンプ装置１によれば、報知部４４又は外部端末９０に点検運転後のポンプユニット１２の停止時間の積算値が閾値を超えた場合に制御部４１が警告を表示させることで、点検運転を促すことができる。
【００９５】
なお、本発明は上述した実施形態に限定されない。例えば、上述した例では、制御部４１は、前回の第２点検運転後にカウンタ機能でカウントしたポンプユニット１２の停止時間の積算値が第２閾値を超えた場合に第２点検運転を行う例を説明したがこれに限定されない。例えば、制御部４１は、前回の第２点検運転後にカウンタ機能でカウントしたポンプユニット１２の停止時間の積算値が第２閾値を超えた場合であって、その後、予め記憶部４３に記憶された設定した時刻となった場合に、第２点検運転を行う構成としてもよい。このような構成のポンプ装置１は、点検運転を自動で行う場合に、ポンプ装置１の運転を行うと、振動や騒音が生じることから、夜間を避けて点検運転を行いたい場合等に有効である。
【００９６】
また、上述した例では、第２点検運転は締切り運転を行う例を説明したが、騒音や振動を極力生じさせないために、第２点検運転として、締切り揚程まで運転を行わない構成としてもよい。具体例として、第２点検運転は、ポンプ２１内の回転体の固着を防止するために、モータ２２に通電し、通電後に圧力検出器１３ｂで圧力の変動を検出したら、ポンプ２１が駆動したと判断し、終了する運転としてもよい。即ち、第２点検運転は、ポンプ２１の固着防止を目的とし、ポンプ２１が駆動した場合に停止することで、振動や騒音が発生することを極力防止する運転としてもよい。
【００９７】
また、上述した例では、ポンプ装置１は、カレンダー機能、時計機能及びカウンタ機能を有する構成を説明したがこれに限定されない。例えば、カレンダー機能は、バッテリの電力消費量が増加し、また、ポンプ装置１のコストアップとなることから、ポンプ装置１は、カレンダー機能を有さない構成としてもよい。このようなポンプ装置１とした場合には、上述の点検運転の情報及び結果等については、経過日数や点検日等については含めずに、時計機能及びカウンタ機能により求めた経過時間や停止時間等の時間の情報だけとすればよい。また、同様に、時計機能を有さずに、カウンタ機能によって、ポンプユニット１２の停止時間の積算値のみを求める構成としてもよい。さらに、時計機能及びカウンタ機能を有さず、カレンダー機能のみを設け、停止時間の代わりに停止日数を積算するとともに、点検運転の情報及び結果は、経過日数、停止日数及び点検日といったように、日付だけの情報としてもよい。
【００９８】
また、上述した例では、消火設備１００としてスプリンクラー２１１が設けられる構成を説明したが、スプリンクラー２１１は、スプリンクラヘッド２１１ｂに閉塞弁が設けられ、火災時に開放する構成であっても、常時開放するいわゆる開放型であってもよい。例えば、開放型のスプリンクラヘッド２１１ｂを用いる場合には、開閉弁をスプリンクラー２１１に設け、そして、第１点検運転及び第２点検運転を手動により行い、点検運転を行うときに開閉弁を閉じる構成とすればよい。また、消火設備１００はスプリンクラー２１１ではなく、泡消火設備や水噴霧消火設備を用いる構成であってもよい。
【００９９】
また、上述した例では、ポンプ装置１は消火ポンプ装置であり、そして、ポンプ装置１が消火設備１００に用いられる例を説明したがこれに限定されない。例えば、ポンプ装置１は、他の設備やポンプ装置に適用できる。
【０１００】
例えば、ポンプ装置１は、季節によって長期の停止が想定される設備、例えば、暖房等の空調設備に用いられる構成であってもよい。このような空調用のポンプを暖房用に用いる場合には、例えば、長期的に停止することで、メカニカルシール付近に析出物が固着することを防止するために、冬場以外に点検運転を行う構成としてもよい。また、このような暖房用のポンプ装置は、冬場は運転が頻繁に行われることから、冬場においては、点検運転を行わない構成としてもよい。または、冬場に暖房用のポンプ装置の点検運転を行う場合には、例えば、連続して所定の時間運転しない場合に停止日数又は停止時間を積算して、当該積算した日数又は時間が閾値を超えた場合に、点検運転を行うように構成してもよい。また、点検を伴わない運転と運転の間の停止時間が所定の時間より短い場合には、停止時間の積算値をリセットする構成であってもよい。
【０１０１】
また、例えば、ポンプ装置１は、消雪設備に用いられる構成としてもよい。このような消雪設備の消雪用の水の揚水にポンプ装置を用いる場合には、例えば、長期的に停止することで、メカニカルシール付近に析出物が固着することを防止するために、空調設備にポンプ装置を用いる場合と同様に、冬場以外に点検運転を行う構成としてもよい。また、このような消雪用のポンプ装置は、冬場の雪の少ない期間においても、点検運転を行う構成としてもよい。例えば、冬場に消雪用のポンプ装置の点検運転を行う場合としては、連続して降雪がなく、所定の時間運転しない場合に停止日数又は停止時間を積算して、当該積算した日数又は時間が閾値を超えた場合に、点検運転を行うように構成してもよい。また、消雪用のポンプ装置は、屋外に設置されるものもあり、凍結防止のために、凍結が予想されるポンプユニットの停止時間よりも短い時間を閾値として、停止時間の積算値又は経過時間が閾値を超えたときに点検運転を行う構成としてもよい。例えば、この場合の特定の運転とは、点検運転ではなく、降雪時に降雪センサにより入る信号による運転や、凍結温度付近で温度センサにより入る信号による運転である。
【０１０２】
また、ポンプ装置１は、飲料用水の給水装置に用いられる構成であってもよい。例えば、法令によって一年間に一回といったように、定期点検が義務付けられている場合には、カレンダー機能によって前回の定期点検による運転日からの経過日数を積算し、定期点検を行う日数が経過したとき又は経過する直前となったときに、外部に当該情報を警告する構成としてもよい。また、このような、他の設備にポンプ装置を用いるときに、点検運転等の特定の運転を行う場合には、自動開閉弁１５を開き、水を排水しながらポンプ装置１を駆動する構成としてもよい。
【０１０３】
また、上述した例では、点検運転の警告は、第１点検運転のみ行う構成を説明したがこれに限定されない。例えば、第２点検運転についても手動にて行う構成とし、第２点検運転を行った後ポンプユニット１２の停止時間の積算値が第２閾値を超えたときに、（３）の機能により、制御部４１が少なくともユーザの第１外部端末９１へ、好ましくは第１外部端末９１及び第２外部端末９２へ、第２点検運転を行うことを要する旨の警告を行う構成としてもよい。
【０１０４】
また、上述した例では、点検運転として第１点検運転及び第２点検運転を含む例を説明したがこれに限定されず、点検運転は一つのみであってもよく、また、３以上の点検運転を含む構成であってもよい。また、特定の運転は点検運転に限定されず、また、手動で行う特定の運転を少なくとも一以上有するのであれば、特定の運転は自動による運転を含んでいても勿論よい。例えば、点検運転は、さらに第３点検運転を含む構成であってもよい。具体例として、第３点検運転は、外部端末９０から点検運転を開始する指令が送信されると、通信部４５が当該指令を受信し、制御部４１がポンプユニット１２を駆動する運転である。
【０１０５】
また、上述した例では、報知部４４及び外部端末９０へ点検運転の情報及び結果、並びに、警告を表示又は送信する構成を説明したがこれに限定されず、他の機器に警告を行う構成であってもよい。即ち、点検運転についての情報を、外部へ伝達可能であれば、その態様は適宜設定可能である。
【０１０６】
また、上述した例では、自動開閉弁１５を設け、開閉することで排水口１５ｂに排水可能な例を説明したが、例えば、自動開閉弁１５の開閉は、ウォーターハンマー防止のために、徐々に開度を増加又は減少させる開閉としてもよい。
【０１０７】
また、上述した例では、第１点検運転である定期点検を行う経過時間をカウンタ機能でカウントすることで求める構成を説明したが、経過時間のカウント方法は適宜設定可能である。例えば、法令で定められた期間内に定期点検を確実に行えれば経過時間は、制御部４１への通電時間の積算値で推定してもよく、また、カレンダー機能によって日数をカウントする構成であってもよい。
【０１０８】
また、上述した例に加えて、予め締切時の電流値を記憶部４３に記憶しておき、ポンプ２１の回転体が固着している場合には、検出されたモータ２２の電流値が記憶部４３に記憶された電流値よりも大きな値となった場合に、ポンプ２１が固着していると判断する機能を有していてもよい。また、例えば、ポンプ２１の固着等の不具合を判断する機能として、自動開閉弁１５を開放状態で運転し、徐々に自動開閉弁１５を閉じるとともに、自動開閉弁１５を閉じた状態で圧力を検出し、予め記憶部４３に記憶された締切時の圧力よりも検出した圧力が低い場合には、ポンプ２１の固着を判断する構成であってもよい。即ち、自動開閉弁１５が閉じられていれば、ポンプ２１の駆動に伴いポンプユニット１２の二次側の圧力が上昇するため、ポンプ２１の駆動の有無が確認できる。
【０１０９】
また、上述した例では、記憶部４３に記憶された第１閾値が書き換え不可に設定される例を説明したがこれに限定されない。例えば、前回の第２点検運転後から次回の第２点検運転を行うまでのポンプユニット１２の時間として設定された第２閾値を、例えば、メーカが所定の期間で必要と考える第２点検運転の回数として設定し、予め記憶部４３に書き換えできないように記憶されていてもよい。
【０１１０】
また、上述した例では、第２点検運転時に締切り運転を行う構成を示したが、これに限定されない。例えば、図５に示すように、分岐管（排水管）１５aに流量を検出可能な流量検出器６１を設け、分岐管１５ａの流量を検出する構成としても良い。このような構成とすることで、流量検出器６１により流量を検知し、所定の流量になるよう自動開閉弁１５を開閉することができ、所定の流量における揚程、並びに、所定の流量におけるモータ２２へ供給された電圧及び電流を検出することができる。
【０１１１】
また、上述した例では、第３閾値は、ポンプユニット１２が正常時における締切り運転時の締切揚程、締切り運転時のモータ２２へ供給された電圧及び電流、定格負荷運転時の定格揚程、並びに、定格負荷運転時のモータ２２へ供給される電圧及び電流としたが、これに限定されない。即ち、第３閾値は、締切り運転時、及び、定格負荷運転時に限定されない。例えば、第３閾値は、ポンプユニット１２が正常時における所定の流量で運転した場合の揚程、所定の流量で運転した場合のモータ２２へ供給された電圧及び電流としても良い。
【０１１２】
また、上述した例では、第３閾値によりポンプユニット１２が正常か否かを判断する構成としたが、第３閾値と異なるによりも低い第４閾値を更に設けても良い。このような構成とする場合には、例えば、第３閾値は、ポンプユニット１２が異常であるときに検出される値に設定され、そして、第４閾値は、点検運転は継続するが、将来的に異常となる虞のある値、換言すると、第３閾値よりも前記ポンプユニットの運転状況より正常である値に近く、例えば、電流に対しては第３閾値よりも小さい値に設定される。そして、制御部４１は、検出された検出値が第３閾値を満たした場合には、ポンプユニット１２が正常でなく、異常であると判断し、ポンプユニット１２を停止させる。また、制御部４１は、検出された検出値が第４閾値を満たさないか、又は、第４閾値を満たすとともに第３閾値を満たさない場合には点検運転を継続し、点検運転の結果等の点検運転の状況を外部端末９０に送信しても良い。また、第４閾値を満たす場合には、報知部４４及び外部端末９０へ第４閾値を超えたことを示す情報、及び警告を表示し送信しても良い。例えば、圧力検出器３３は、砂等の異物により検出部や検出部の一次側配管が目詰まりした場合や、ポンプユニット１２の二次側の配管から水が漏れていた場合に、圧力が徐々に低下し所定の圧力以下となり、制御盤１８へポンプユニット１２の起動信号を送る虞がある。例えば、流水検知器３１４は、ポンプユニット１２の二次側の配管から水が漏れている場合に流水を検知し、制御盤１８へポンプユニット１２の起動信号を送る虞がある。第４閾値を設けることにより、点検運転を継続しつつ、ポンプユニット１２に異常が発生する前にユーザや管理者へ警告することができる。
【０１１３】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１１４】
１…ポンプ装置、１１…ベース、１２…ポンプユニット、１３…吐出管、１３ａ…逆止弁、１３ｂ…圧力検出器、１４…圧力タンク、１５…自動開閉弁、１５ａ…分岐管（排水管）、１５ｂ…排水口、１６…温度検出器、１７…呼水槽、１７ａ…配管、１７ｂ…逃がし管、１８…制御盤、２１…ポンプ、２１ａ…吸込口、２１ｂ…吐出口、２２…モータ、３１…タンク、３２…圧力計、３３…圧力検出器、４１…制御部、４２…入力装置、４３…記憶部、４４…報知部、４５…通信部、４６…制御基板、４７…筐体、４８…端子部、６１…流量検出器、９０…外部端末、９１…第１外部端末、９２…第２外部端末、９９…信号線、１００…消火設備、１０１…補助加圧装置、１１１…補助ポンプユニット、１１２…圧力タンク、１１３…圧力検出器、１１４…呼水槽、１１５…制御盤、１２１…補助モータ、１２２…補助ポンプ、１２３…連結管、１３１…記憶部、１３２…制御部、２０１…放水手段、２１１…スプリンクラー、２１１ａ…配設管、２１１ｂ…スプリンクラヘッド、２１２…消火栓、２１２ａ…消火栓箱、２１２ｂ…ホース、２１２ｃ…ノズル、２１３…連結送水管、３０１…火災判断機器、３１１…火災報知器、３１２…消火栓用手動起動装置、３１３…遠隔起動装置、３１４…流水検知器、３１５…消火栓用連動装置、４０１…給水源、５０１…配管。
【図１】
2020133471.tif 000003
【図２】
2020133471.tif 000004
【図３】
2020133471.tif 000005
【図４】
2020133471.tif 000006
【図５】
2020133471.tif 000007